(57)【特許請求の範囲】
【請求項１】
印刷後にユーザによって記入が行われる用紙の指定領域であるユーザ記入欄にクリアトナーによる記録を行うと指示された場合、前記ユーザ記入欄にクリアトナー設定が行われるクリアトナー設定ステップと、
該クリアトナー設定ステップで、クリアトナー設定が行われた前記ユーザ記入欄にクリアトナーによる記録を印刷部が行うように制御するクリアトナー記録ステップとを有することを特徴とした印刷方法。
【請求項２】
前記クリアトナー設定ステップで前記用紙のユーザ記入欄にクリアトナーによる記録を行うと設定されたにも関わらず、前記ユーザ記入欄にデータが印字されると判断された場合、前記クリアトナー設定を解除するクリアトナー設定解除ステップを有することを特徴とした請求項１に記載の印刷方法。
【請求項３】
前記用紙とは帳票であり、前記ユーザ記入欄とは、前記帳票におけるクリアトナーの設定をそれぞれに行うことができる最小単位であること
を特徴とした請求項１に記載の印刷方法。
【請求項４】
前記クリアトナー設定において、
該設定が印刷を実行する時、指定された条件を満たした場合のみ有効となることを特徴とした請求項１に記載の印刷方法。
【請求項５】
前記指定された条件とは、印刷の際に用いられる用紙の種類、又は印刷を実行するユーザ、又は印刷を実行する日時、又は印刷を行う機器であること
を特徴とした請求項４に記載の印刷方法。
【請求項６】
前記クリアトナー設定に関する情報がライブラリ形式で提供されることを特徴とした請求項１に記載の印刷方法。
【請求項７】
印刷後にユーザによって記入が行われる用紙の指定領域であるユーザ記入欄にクリアトナーによる記録を行うと指示された場合、前記ユーザ記入欄にクリアトナー設定が行われるクリアトナー設定手段と、
該クリアトナー設定手段で、クリアトナー設定が行われた前記ユーザ記入欄にクリアトナーによる記録を印刷部が行うように制御するクリアトナー記録手段とを有することを特徴とした印刷装置。
【請求項８】
前記クリアトナー設定ステップで前記用紙のユーザ記入欄にクリアトナーによる記録を行うと設定されたにも関わらず、前記ユーザ記入欄にデータが印字されると判断された場合、前記クリアトナー設定を解除するクリアトナー設定解除手段を有することを特徴とした請求項７に記載の印刷装置。
【請求項９】
コンピュータに
印刷後にユーザによって記入が行われる用紙の指定領域であるユーザ記入欄にクリアトナーによる記録を行うと指示された場合、前記ユーザ記入欄にクリアトナー設定が行われるクリアトナー設定ステップと、
該クリアトナー設定ステップで、クリアトナー設定が行われた前記ユーザ記入欄にクリアトナーによる記録を印刷部が行うように制御するクリアトナー記録ステップとを実行させるためのプログラム。
【請求項１０】
コンピュータに
前記クリアトナー設定ステップで前記用紙のユーザ記入欄にクリアトナーによる記録を行うと設定されたにも関わらず、前記ユーザ記入欄にデータが印字されると判断された場合、前記クリアトナー設定を解除するクリアトナー設定解除ステップとを実行させるための請求項９に記載のプログラム。
【請求項１１】
請求項９に記載のプログラムを格納したことを特徴とするコンピュータが読み取ることが可能な記録媒体。
【請求項１２】
請求項１０に記載のプログラムを格納したことを特徴とするコンピュータが読み取ることが可能な記録媒体。
【発明の詳細な説明】
【技術分野】
【０００１】
本発明はフォーム作成装置により作成したフォームとテキスト形式のデータを重ね合わせて印刷するオーバレイ印刷に関するものである。
【背景技術】
【０００２】
「見積書」や「申請書」に代表されるフォームを印刷する業務システムでは、印刷後の用紙に対して編集・承認処理を行うケースが数多く発生する。
【０００３】
そして印刷後、用紙の一部分である指定領域に個人情報などの必要事項が記入されるといったケースが数多く発生する。
【０００４】
また、フォームを印刷する際、レーザプリンタや複合機などで使用する用紙は普通紙や再生紙といった、一般的に紙の厚さが薄い用紙が大量に使用される。
【０００５】
一方、従来からのクリア（透明）記録剤を使用した印刷技術は、
（１）インクジェット記録装置の記録ヘッドから吐出した記録インクが滲みや流れ出し等により記録画像が劣化しないよう記録媒体の表面上を透明な表面処理液で覆い耐水化処理を施す。（例えば特許文献１参照）
（２）プラスチックフィルムやプラチックカード等のシート基材の必要な部分に透明性に優れたインク受容層を形成させインクジェットインクによる印字を可能にする。（例えば特許文献２参照）
のような印刷対象物への印字を実現するためのものと、
（３）画像や文字等の画像領域からなる印刷物に対し、適切な光沢を与えるべく透明トナーを用いて、又はこれに光沢増加部材なるものを付与することで、各画像形成領域に光沢度を変化させる。（例えば特許文献３参照）
このような印刷物に光沢を与えるものが一般的であった。
【特許文献１】特開平０１−０８５７６６
【特許文献２】特開２００４−２２３７６２
【特許文献３】特開２００７−０５２１７５
【発明の開示】
【発明が解決しようとする課題】
【０００６】
従来、例えば、ユーザが薄い用紙に万年筆で字を記入すると、その用紙の裏にインクが染み出してしまい、その用紙の下にある他の用紙や机にインクが付着する裏抜けという現象が起こってしまった。
【０００７】
このように、用紙の種類とユーザが使用した筆記具の種類との組み合わせによっては、インクが紙に染み込んでその裏側まで染み出してしまう裏抜けが発生する。
【課題を解決するための手段】
【０００８】
上述した課題を解決するため、本発明の印刷方法は、
印刷後、ユーザによって記入が行われる用紙の指定領域であるユーザ記入欄にクリアトナーによる記録を行うと指示された場合、ユーザ記入欄にクリアトナー設定が行われるクリアトナー設定ステップと、
クリアトナー設定ステップで、クリアトナー設定が行われた前記ユーザ記入欄にクリアトナーによる記録を行うクリアトナー記録ステップと
を有することを特徴とする。
【０００９】
また、クリアトナー設定ステップで用紙のユーザ記入欄にクリアトナーによる記録を行うと設定されたにも関わらず、ユーザ記入欄にデータが印字されると判断された場合、クリアトナー設定を解除するクリアトナー設定解除ステップを有することを特徴とする。
【発明の効果】
【００１０】
本発明により、用紙の指定領域内であるユーザ記入欄にクリアトナーによる記録を行うと指示されたユーザ記入欄のみにクリアトナー設定をし、クリアトナーによる記録を行うことが可能となる。
【００１１】
また、ユーザ記入欄に印字がされると判断されると、クリアトナー設定が自動的に解除される。
【００１２】
これにより、インクが用紙の裏側まで染み込んでしまう裏抜けを抑止することができる。
【００１３】
また、必要な箇所にのみクリアトナーによる記録を行うので、トナーの消費を抑えることができる。
【発明を実施するための最良の形態】
【００１４】
（実施例１）
以下、図面を参照して本発明に係る実施形態を説明する。
【００１５】
本発明に係る実施例では、フォーム作成装置により作成したフォームとテキスト形式のデータを重ね合わして印刷処理を行うオーバレイ印刷を用いる。
【００１６】
最初に、一般的なオーバレイ印刷について説明する。
【００１７】
まず、フォーム作成装置によりフォームを作成する。このフォーム作成には、フォーム作成が可能な機能を有するレーザプリンタ等を使用する。
【００１８】
まず、フォーム内の枠線等の構成をフォーム情報としてフォーム情報ファイル中に予め登録する。
【００１９】
フォーム情報は、専用のフォーム情報設計システムを利用して作成される。
【００２０】
また、フォーム情報はフィールドデータに依存しない固定的な図形であるフォーム図形と、受け取ったフィールドデータを指定した出力書式に従って表示する図形であるフィールド図形から構成されているのが一般的である。
【００２１】
これとは別に、フォーム中の記載事項であるテキスト形式のデータを作成しておく。この中には後にフォームの指定領域に記載されるフィールドデータとなるものが含まれる。その後、フォーム中にフィールドデータ記入して印刷する際、フォーム情報によって生成されたフォームと前記フィールドデータを重ねあわせた印刷データが作成され、出力フォームとして印刷される。このフォームとフィールドデータが重ね合わされ印刷されることをオーバレイ印刷という。
【００２２】
この印刷方法は、例えば帳票の作成等に用いられる。
【００２３】
図１は、コンピュータシステムを示す。
【００２４】
図１において、ＣＰＵ（１０５）は、主記憶装置（１０６）（ＣＳ：Ｃｅｎｔｒａｌ  Ｓｔｏｒａｇｅ）に記憶されている制御プログラムに従いコンピュータシステム全体の動作を制御する。
【００２５】
また、ＣＳ（１０６）は外部記憶制御装置ＡＳＣ（１０７）を介して外部記憶装置ＡＳＵ（１０８）からロードされたアプリケーションプログラムを記憶する。
【００２６】
ちなみに、ＡＳＣはＡｕｘｉｌｉａｒｙ  Ｓｔｏｒａｇｅ  Ｃｏｎｔｒｏｌｌｅｒであり、ＡＳＵはＡｕｘｉｌｉａｒｙ  Ｓｔｏｒａｇｅ  Ｕｎｉｔのことを示す。
【００２７】
このコンピュータシステムを、フォーム情報設計システム、オーバレイ印刷システムとして動作させる為のプログラムもこのＣＳ（１０６）が記憶する。
【００２８】
ＣＳ（１０６）に記憶された制御プログラムや各種アプリケーションプログラムは、ＣＰＵ（１０５）により主記憶装置（１０６）にロードされると、以下に示すような指示装置によって操作される。
【００２９】
第一の装置は、表示装置（１０１）、キーボード装置（１０２）、からなるオペレーター操作卓である。
【００３０】
表示装置（１０１）は、ＣＰＵ（１０５）の指示に従ってディスプレイ等の表示画面に画像を表示する。
【００３１】
またキーボード装置（１０２）はユーザからの指示をＣＰＵ（１０５）に伝える。これにはポインティングデバイス等も含まれる。
【００３２】
第二の装置は、ＬＡＮやＷＡＮなどのネットワークを介して接続された外部のコンピュータシステムからの指示情報を本コンピュータシステムに取り込むネットワーク接続機構（１０４）である。このネットワーク接続機構（１０４）はＮＩＣ（ＮＥＴＷＯＲＫ  ＩＮＴＥＲＦＡＣＥ  ＣＯＮＴＲＯＬＬＥＲ）と示される。
【００３３】
プリンタ（１１０）は、入出力制御装置（１０９）（ＩＯＣ：Ｉｎｐｕｔ  Ｏｕｔｐｕｔ  Ｃｏｎｔｒｏｌｌｅｒ）を介して本実施例のコンピュータシステムに接続されている。
【００３４】
前述したフォーム情報設計システムを利用して作成、入力されたフォーム情報が、このプリンタのフォーム情報ファイル中に予め登録されている。
【００３５】
プリンタはコンピュータシステムから入力されるテキスト形式のデータと、この登録されたフォーム情報に基づいて生成されたフォームとを重ね合わせて印刷データを生成しオーバレイ印刷を行った結果、出力フォームを得る。
【００３６】
図２にフォーム情報設計システム（２０１）を示す。
【００３７】
フォーム情報設計システムを動作させるためのプログラムがＣＰＵ（１０５）により主記憶装置（１０６）にロードされると、ＣＰＵ（１０５）は、図２の２０１に示すフォーム情報制御部（２０２）として働くことになる。
【００３８】
また、図２に示すユーザインタフェース（２０３）は図１に示す指示装置（１０１）〜（１０４）として働くことになる。
【００３９】
ユーザインタフェース部（２０３）からの指示に応じてＣＰＵ（１０５）は、フォーム情報設計システム（２０１）内の後述するフォーム情報制御部を制御する。
【００４０】
フォーム情報制御部（２０２）は、現在設計中のフォーム情報に基づくフォームを図１の表示装置（１０１）に表示させる。
【００４１】
また、ユーザインタフェースを介して入力されたユーザの設定命令やフォーム情報作成についての命令等の各種命令を受け付ける。
【００４２】
またフォーム情報制御部（２０２）は、ユーザインタフェース（２０３）から送られてきた情報をもとにフォームを作成し、フォーム情報ファイル（２０７）を作成する。このファイルは図１に示すＡＳＵ（１０８）内に記憶される。
【００４３】
そして、フォーム情報制御部（２０２）は、ユーザの指示によりユーザインタフェースからフィールド図形に対してクリアトナー設定及びクリアトナー詳細設定が行われるか、フォームの編集が終了を指示されたか、フォームの登録を指示されたかするか判断する。
【００４４】
図３は、オーバレイ印刷システムの構成を示すブロック図である。
【００４５】
図３において、３０１は本実施例のオーバレイ印刷システム全体を示す。
オーバレイ印刷システムを動作させる為のプログラムがＣＰＵ（１０５）により主記憶装置（１０６）にロードされると、ＣＰＵ（１０５）は、図３の３０１に示すオーバレイ印刷システムとしても働くことになる。
【００４６】
この際、ユーザインタフェース部（３０３）からの指示に応じてＣＰＵ（１０５）は、後述するオーバレイ印刷制御部（３０２）、プリンタドライバ部（３０４）を制御する。
【００４７】
このとき、ユーザインタフェース部（３０３）は、図１で示す指示装置（１０１）〜（１０４）として働くことになる。
【００４８】
ユーザインタフェース部（３０３）は、ＡＳＵ（１０８）内のフォーム情報ファイル（２０７）やフィールドデータファイル（２０８）の呼び出しをユーザから受け付ける。
【００４９】
すると、ユーザインタフェース部（３０３）は、この入力をオーバレイ印刷制御部（３０２）へ送る。
【００５０】
その後、オーバレイ印刷制御部（３０２）は図１に示す表示装置（１０１）にフォーム情報ファイルやフィールドデータファイルの名称の一覧を表示させる。
【００５１】
また、表示されたファイル名称の一覧のうちユーザに選択されたファイルは、オーバレイ印刷制御部（３０２）へ出力される。
【００５２】
オーバレイ印刷制御部（３０２）は、選択されたフォーム情報ファイル（２０７）とフィールドデータファイル（２０８）を受け付け、読み込む。
【００５３】
そしてそれぞれのファイルからフォーム情報とフィールドデータを取り出し、これら２つのデータを重ね合わせた印刷データを作成する。
【００５４】
また、オーバレイ印刷制御部（３０２）は、上記印刷データを作成する際、クリアトナー設定がされている部分には、クリアトナーによる記録を行うように印刷データを作成する。
【００５５】
最終的に、オーバレイ印刷制御部（３０２）はプリンタドライバ（３０４）を介して、この印刷データをプリンタ（３０５）へ出力する。
【００５６】
また、オーバレイ印刷制御部（３０２）は作成したフォーム情報のプリンタ（３０５）への登録も行う。
【００５７】
（フォーム情報ファイルの作成）
図６は、本実施例のフォーム情報設計システム（２０１）において、フォーム情報ファイル（２０７）を作成する際の処理の手順を示したフローチャートである。
【００５８】
まず、ユーザインタフェース部（２０６）は、使用するフォームの指定をユーザから受け付ける。
【００５９】
すると、ユーザインタフェース部（２０６）は、この受け付けた情報をフォーム情報制御部（２０２）に送る。
【００６０】
次に、フォーム情報制御部（２０２）は、送られてきた情報をもとにフォームに対応したフォーム情報ファイル（２０７）を生成する。
【００６１】
そして、Ｓ１０１にて、フォーム情報制御部（２０２）は、当該生成されたフォーム情報ファイル（２０７）を基にフォームを生成し、さらに、フォーム情報制御部（２０２）は、生成されたフォームをユーザインタフェース部（２０３）に表示するように制御する。
【００６２】
なお、このユーザインタフェース部（２０３）で表示されるフォームは、例えば、図４の４０１のような画像である。
【００６３】
次に、Ｓ１０２にてユーザはユーザインタフェース部（２０３）に表示されたフォーム内の指定領域であるフィールド図形それぞれに対して、クリアトナーによる記録を行うか行わないかを指示するクリアトナー設定指示を行う。この夫々のフィールド図形がクリアトナー設定を行うことができる最小単位である。
【００６４】
また、このフィールド図形の中には、出力印刷後、ユーザによって記入が行われるユーザ記入欄となるものもある。
【００６５】
このとき、ユーザインタフェース部（２０３）に図４の４０３の一部に示すようなダイアログを設け、クリアトナー設定を行うためのチェック欄を表示するように制御する。
【００６６】
Ｓ１０３では、フォーム情報制御部（２０２）が、ユーザインタフェース部（２０３）を介して入力されたユーザからこのクリアトナーによる記録の設定に関する指示を受け取る。
【００６７】
そして、フォーム情報制御部（２０２）はこのユーザの指示に応じた設定情報がフォーム内の指定領域であるフィールド図形に対してクリアトナーによる記録を行う設定か、行わない設定か、どちらであるか判断する。
【００６８】
クリアトナーによる記録が行われると判断された場合Ｓ１０４へ進む。
【００６９】
クリアトナーによる記録が行われないと判断された場合はＳ１１１へ進む。
【００７０】
この結果に従ってＳ１０４ではフォーム情報制御部（２０２）が、指定領域にクリアトナーによる記録を行うためのクリアトナー設定を行う。
【００７１】
さらに、この結果を受けて、フォーム情報制御部（２０２）は、ユーザインタフェース部（２０３）上にクリアトナー詳細設定を行うためのダイアログも表示するように制御する。
【００７２】
このダイアログの一例を図４の４０３の一部と、４０４に示す。
【００７３】
この４０３に示すダイアログでは、クリアトナー設定を無条件に適用する場合と、適用に条件を課す場合をユーザに選択させる。（Ｓ１０５）
このように適用に条件を課す場合、Ｓ１０６にてクリアトナー詳細設定を行う。
【００７４】
例えば使用される印刷用紙の種類や印刷を行うユーザ、印刷日時、印刷するプリンタ等の機器に関して条件を設け、そのいずれかの条件が満たされた上で、オーバレイ印刷処理が実行された場合にクリアトナー設定を有効にする。上述した条件が合わない場合は、クリアトナー設定解除が行われる。
【００７５】
例えば、４０４で示すように、クリアトナーによる記録を行う用紙を「再生紙」と登録すると、再生紙にオーバレイ印刷が実行される場合のみクリアトナー設定が有効になる。しかしこの４０４の例では、その他の紙種の場合、クリアトナー設定解除が行われる。
【００７６】
ユーザは、ユーザインタフェース部（２０３）を用いて、ダイアログ内の各項目の設定を変更するための指示を行うことが可能であると共に確定するための指示を行うことが可能となっている。
【００７７】
また、Ｓ１０３〜Ｓ１０７の各工程は、クリアトナー設定及びクリアトナー詳細設定が完了するまで行われる（Ｓ１０８）。
【００７８】
そして、Ｓ１０９にてフォーム情報制御部（２０８）がフォーム情報ファイルの作成処理が終了したか否かを判断する。
【００７９】
フォーム情報ファイルの作成処理が終了したと判断された場合Ｓ１１０にて、再びフォーム情報制御部（２０８）がＳ１０３〜Ｓ１０７において設定したクリアトナー設定及びクリアトナー詳細設定をフォーム情報ファイルに保存するか否かを判断する。
【００８０】
最後にＳ１１１にて、クリアトナー設定及びクリアトナー詳細設定をフォーム情報ファイルに保存すると判断された場合には保存処理を行う。
【００８１】
この時点でフォーム情報ファイル作成に関する処理が終了する。
【００８２】
（オーバレイ印刷の実行）
図７は、本発明の実施例のオーバレイ印刷システムにおいて、前述したクリアトナー設定に従いオーバレイ印刷処理を行うまでの一連の動作手順を示したフローチャートである。
【００８３】
まずＳ２０１にて、図３のユーザインタフェース部（３０３）はフォーム情報ファイルの名称とテキスト形式であるデータファイルの名称の入力をユーザから受け付ける。
【００８４】
すると、ユーザインタフェース（３０３）はこの入力をオーバレイ印刷制御部（３０２）へ送る。
【００８５】
次にＳ２０２にて、オーバレイ印刷制御部（３０２）は送られてきた入力情報に基に、ユーザからのオーバレイ印刷指示があるか否かを判断する。
【００８６】
Ｓ２０２にて、オーバレイ印刷指示がないと判断された場合、処理を終了する。
【００８７】
Ｓ２０２にて、オーバレイ印刷指示がされたと判断された場合Ｓ２０３へ進む。
【００８８】
Ｓ２０３にて、オーバレイ印刷制御部（３０２）は、ユーザインタフェース部（３０３）を介して入力されたフォーム情報ファイル名称をもとに該当するフォーム情報ファイル（２０７）を読み込む。
【００８９】
このフォーム情報ファイルを元に生成されたフォームを図５の５０１に示す。
【００９０】
次に、Ｓ２０４にてオーバレイ印刷制御部（３０２）は、フォーム情報ファイル（２０７）から前記Ｓ１０２〜Ｓ１０４で作成したクリアトナー設定及びクリアトナー詳細設定の情報を取得する。
【００９１】
そして、Ｓ２０５にて、取得したクリアトナー設定及びクリアトナー詳細設定の情報を含むフォーム情報ファイルを、プリンタ（３０６）のフォーム登録機能を用いて登録する。
【００９２】
一方、ユーザインタフェース部（３０３）はフォーム中の記載事項であるフィールドデータとなるテキスト形式のデータを含んだデータファイル名称の入力をユーザから受け付ける。
【００９３】
ユーザインタフェース部（３０３）はこの入力されたデータファイルの名称をオーバレイ印刷制御部（３０２）へ送る。
【００９４】
Ｓ２０６にて、オーバレイ印刷制御部（３０２）はこのデータファイル名称をもとに、該当するデータファイルを読み込む。このフィールドデータを含んだファイルを図５の５０３、５０４に示す。
【００９５】
そしてＳ２０７にてデータ解析処理を行うことにより、１ページ分の印刷に必要なデータを取得する。
【００９６】
次にＳ２０８にて、Ｓ２０４にて取得したクリアトナー設定情報及びクリアトナー詳細設定情報からクリアトナーによる記録を行うフィールド図形が存在するか否かを判断する。
【００９７】
Ｓ２０８において、図５の５０２のフィールド図形に、クリアトナー設定が行われたと判断された場合、Ｓ２０９にて、オーバレイ印刷制御部はフィールド図形にＳ２０６において取得したデータが格納されるか否かを判断する。
【００９８】
Ｓ２０９おいて、クリアトナー設定が行われたフィールド図形にデータが格納されないと判断された場合、Ｓ２１０へ進み、オーバレイ印刷制御部（３０４）が当該フィールド図形に対しクリアトナーによる記録を行うための印刷データを作成する。
【００９９】
図５の５０３に示すように、クリアトナー設定が行われたフィールド図形のうち“氏名”のフィールド図形に対しデータ指定がされていないため、ここにはデータが格納されない。つまり印刷後このフィールド図形には文字が印字されない。
【０１００】
この場合、オーバレイ印刷制御部（３０４）は、５０２に該当する箇所にクリアトナーによる記録が行われるように印刷データを作成する。
【０１０１】
逆に図５の５０４に示すように、クリアトナー設定が行われたフィールド図形のうち“氏名”のフィールド図形に対しデータが指定されているため、ここにはデータが格納される。つまり印刷後このフィールド図形には文字が印字される。
【０１０２】
この場合、オーバレイ印刷制御部（３０４）は、５０２に該当する箇所にクリアトナー設定が解除された印刷データを作成する。
【０１０３】
このように印刷データが作成された後、Ｓ２１１にて、フォームとフィールドデータを重ね合わせオーバレイ印刷処理を行うための印刷データが作成される。
【０１０４】
Ｓ２０７〜Ｓ２１１の各処理は、フィールドデータファイル（２０８）のデータ解析処理が終了するまで行われる（Ｓ２１２）。
【０１０５】
最終的に、Ｓ２１３にて、この重ね合わせを行った後の印刷データはプリンタドライバ（３０４）を介してプリンタへ送信されプリンタの印刷部にて印刷される。
【０１０６】
プリンタにて印刷する際、クリアトナー設定が行われたフィールド図形部分には、クリアトナー記録が行われる。
【０１０７】
図５にクリアトナー設定されたフォーム情報ファイルに、フィールドデータファイルを指定しオーバレイ印刷した場合の実行結果である出力フォームの一例を示す。
【０１０８】
図５の５０６に示すフィールド図形はクリアトナー設定がされ、５０６に示すフィールド図形いずれに対してもデータの指定がなかったため、クリアトナー設定が解除されることなく、クリアトナー記録が行われた出力フォームを得ることができる。
【０１０９】
図５の５０７に示すフィールド図形はクリアトナー設定がされたにも関わらず、５０７に示すフィールド図形にはデータの指定があったため、クリアトナー設定が解除され、クリアトナー記録が行われない出力フォームを得ることができる。
【０１１０】
なお、２つのデータの重ね合わせについてはＳ２１１で行わず、それぞれの印刷データを別々にプリンタへ送信して、プリンタ内で行ってもよい。
【０１１１】
以上の様に、印刷後ユーザによって記入が行われる記入欄であるフィールド図形（データ指定のないフィールド図形）にのみクリアトナーが付与される。
【０１１２】
このため、ユーザによってフィールド図形部分に万年筆等を用いた記入が行われ、インクがフィールド図形部分に付着してもクリアトナーが膜となりインクが紙の裏まで浸透するのを抑える。
【０１１３】
したがって、ユーザによって記入が行われる記入欄の裏にまでインクが染み込み、裏写りしてしまうことを抑制することができる。
【０１１４】
なお、記入後にインクが紙の表面で滲んでしまうことも防ぐ事が可能である。
【０１１５】
（実施例２）
実施例１では、フィールド図形に対するクリトナー設定を、ユーザインタフェースを介して行い、設定内容をフォーム情報ファイル（２０７）に保存した。そして、オーバレイ印刷を実行する際、このフォーム情報ファイルを指定し、印刷を実行していた。本実施例２ではこれらの処理を次のようにした。
【０１１６】
図８の８０３に示すような、クリアトナーによる記録に関する各種設定を指定するための関数群をオーバレイ印刷システム（３０１）からライブラリ形式で提供する。
【０１１７】
ユーザは、オーバレイ印刷処理をおこなう際、前記関数を適宜指定し実行させることにより目的の印刷処理・結果を得ることができる。
【０１１８】
図８に実行形態の一例を示す。
【０１１９】
ユーザプログラム８０２からライブラリ形式でクリアトナーによる記録に関する一連の設定に関する情報を提供する仕組みになっている。
【０１２０】
実施例２特有の効果としては、クリアトナーによる記録に関する一連の設定がライブラリ形式で提供されるため、ユーザにとってフォーム情報ファイル（２０７）に対する編集負荷を軽減することが可能となる。
【０１２１】
同時に、作成されたフォーム情報ファイル（２０７）に格納される情報が少なくできることにより、処理時間の多くを占めているファイルアクセス処理が効率的となり処理時間が削減できる。
【０１２２】
更に、ユーザごとの多様な運用形態に柔軟に対応することが可能となりフォーム情報ファイル（２０７）としての自由度も向上するといった効果が得られる。
【０１２３】
（本発明の他の実施形態）
前述した実施形態の機能を実現するように前述した実施形態の構成を動作させるプログラムを記憶媒体に記憶させ、該記憶媒体に記憶されたプログラムをコードとして読み出し、コンピュータにおいて実行する処理方法も上述の実施形態の範疇に含まれる。また、前述のプログラムが記憶された記憶媒体はもちろんそのプログラム自体も上述の実施形態に含まれる。
【０１２４】
かかる記憶媒体としてはたとえばフロッピー（登録商標）ディスク、ハードディスク、光ディスク、光磁気ディスク、ＣＤ―ＲＯＭ、磁気テープ、不揮発性メモリカード、ＲＯＭを用いることができる。
【０１２５】
また前述の記憶媒体に記憶されたプログラム単体で処理を実行しているものに限らず、他のソフトウエア、拡張ボードの機能と共同して、ＯＳ上で動作し前述の実施形態の動作を実行するものも前述した実施形態の範疇に含まれる。
【図面の簡単な説明】
【０１２６】
【図１】フォーム情報設計システム、およびオーバレイ印刷制御システムが動作するコンピュータシステムの構成図。
【図２】フォーム情報設計シテムの構成を示すブロック構成図。
【図３】オーバレイ印刷システムの構成を示すブロック構成図。
【図４】フォーム内の指定領域（フィールド図形）に対するクリアトナー処理の設定をおこなうための表示形式の一例。
【図５】クリアトナー処理設定されたフォーム情報ファイルにフィールドデータファイルを指定しオーバレイ印刷した場合の実行結果の一例。
【図６】実施例１のフォーム情報ファイルを作成するフローチャート。
【図７】実施例１のクリアトナー処理の設定にしたがいオーバレイ印刷処理を行うフローチャート。
【図８】実施例２のクリアトナー処理の設定をオーバレイ印刷時にライブラリ関数から動的実行する際システムの構成を示すブロック構成図、およびライブラリの一例。
【図１】
0005064970.tif 000002
【図２】
0005064970.tif 000003
【図３】
0005064970.tif 000004
【図４】
0005064970.tif 000005
【図５】
0005064970.tif 000006
【図６】
0005064970.tif 000007
【図７】
0005064970.tif 000008
【図８】
0005064970.tif 000009